(57)【要約】【課題】１対複数の通信を行うアクセスネットワークにおいて、新たな重畳サービスの加入者側装置の追加時に、サービスを中断せずに追加収容するようにする。【解決手段】本発明の同期制御システムは、局側装置と、複数の加入者側装置との間で通信を行うアクセスネットワークで、新たに追加した加入者側装置の上り信号の送信タイミングを調整する同期制御システムにおいて、局側装置と各加入者側装置との間の伝送路遅延測定を行う伝送路遅延測定手段と、各加入者側装置の伝送路遅延測定情報を保持する伝送路遅延測定情報保持手段と、新たに加入者側装置を追加した場合、伝送路遅延測定情報保持手段から取得した加入者側装置の伝送路遅延測定情報を用いて、新たに追加した加入者側装置の上り信号の送信タイミングを求める同期制御手段と、この同期制御信号を新たに追加した加入者側装置に通知する制御信号通知手段とを備えることを特徴とする。【選択図】      図１
2009055307.tif 000002
【特許請求の範囲】
【請求項１】
局側装置と、複数の加入者側装置との間で通信を行うアクセスネットワークで、新たに追加した加入者側装置の上り信号の送信タイミングを調整する同期制御システムにおいて、
上記局側装置と上記各加入者側装置との間の伝送路遅延測定を行う伝送路遅延測定手段と、
上記伝送路遅延測定手段が測定した上記各加入者側装置の伝送路遅延測定情報を保持する伝送路遅延測定情報保持手段と、
新たに加入者側装置を追加した場合、既設されている上記複数の加入者側装置のいずれかの伝送路遅延測定情報を上記伝送路遅延測定情報保持手段から取得し、この取得した既設の上記加入者側装置の伝送路遅延測定情報を用いて、上記新たに追加した加入者側装置の上り信号の送信タイミングを求める同期制御手段と、
上記同期制御手段が求めた上り信号の送信タイミングを示す制御信号を生成し、上記新たに追加した加入者側装置に通知する制御信号通知手段と
を備えることを特徴とする同期制御システム。
【請求項２】
上記同期制御手段が、上記伝送路遅延測定情報保持手段から取得した上記伝送路遅延測定情報を基準として所定値を加算又は減算して、上記新たに追加した加入者側装置の上り信号の送信タイミングを求めることを特徴とする請求項１に記載の同期制御システム。
【請求項３】
当該アクセスネットワークが、上記局側装置と上記各加入者側装置との間に光分岐混合装置を備え、上記局側装置と上記各加入者側装置との間で１対複数の光通信を行うものであることを特徴とする請求項１又は２に記載の同期制御システム。
【請求項４】
局側装置と、複数の加入者側装置との間で通信を行うアクセスネットワークで、新たに追加した加入者側装置の上り信号の送信タイミングを調整する同期制御方法において、
伝送路遅延測定手段が、上記局側装置と上記各加入者側装置との間の伝送路遅延測定を行う伝送路遅延測定工程と、
伝送路遅延測定情報保持手段が、上記伝送路遅延測定手段が測定した上記各加入者側装置の伝送路遅延測定情報を保持する伝送路遅延測定情報保持工程と、
同期制御手段が、新たに加入者側装置を追加した場合、既設されている上記複数の加入者側装置のいずれかの伝送路遅延測定情報を上記伝送路遅延測定情報保持手段から取得し、この取得した既設の上記加入者側装置の伝送路遅延測定情報を用いて、上記新たに追加した加入者側装置の上り信号の送信タイミングを求める同期制御工程と、
制御信号通知手段が、上記同期制御手段が求めた上り信号の送信タイミングを示す制御信号を生成し、上記新たに追加した加入者側装置に通知する制御信号通知工程と
を有することを特徴とする同期制御方法。
【請求項５】
局側装置と、複数の加入者側装置との間で通信を行うアクセスネットワークで、新たに追加した加入者側装置の上り信号の送信タイミングを調整する同期制御プログラムにおいて、
上記局側装置が、
上記局側装置と上記各加入者側装置との間の伝送路遅延測定を行う伝送路遅延測定手段と、
上記伝送路遅延測定手段が測定した上記各加入者側装置の伝送路遅延測定情報を保持する伝送路遅延測定情報保持手段とを備えるものであって、
コンピュータを、
新たに加入者側装置を追加した場合、既設されている上記複数の加入者側装置のいずれかの伝送路遅延測定情報を上記伝送路遅延測定情報保持手段から取得し、この取得した既設の上記加入者側装置の伝送路遅延測定情報を用いて、上記新たに追加した加入者側装置の上り信号の送信タイミングを求める同期制御手段、
上記同期制御手段が求めた上り信号の送信タイミングを示す制御信号を生成し、上記新たに追加した加入者側装置に通知する制御信号通知手段
として機能させる同期制御プログラム。
【発明の詳細な説明】
【技術分野】
【０００１】
本発明は、同期制御システム、方法及びプログラムに関し、例えば、パッシブ光ネットワーク（ＰＯＮ； Passive  Optical  Network）を採用した光ネットワークを構成する光通信装置が実現する同期制御システム、方法及びプログラムに適用し得るものである。
【背景技術】
【０００２】
ＦＴＴｘ（Fiber  To  The  Home／Curb／Node／Premises等）による加入者の光アクセス網を実現する方法の１つとしてＰＯＮ（Passive  Optical  Network）方式がある。
【０００３】
このＰＯＮ方式は、途中に光電変換を伴うアクティブな中継装置を持たず、１つの局側のインタフェースが複数の加入者を収容し、１対多の光アクセスネットワークを実現する方式である。これにより、高価な局側光部品の数を抑えることができるので、光ネットワークの低コスト化を図ることができる。
【０００４】
また、ＰＯＮ方式を用いた光アクセス方式として種々の方式が標準化され、また種々の方式が適用されている。例えば、ＡＴＭ−ＰＯＮ方式、Ｂ−ＰＯＮ方式（ＩＴＵ−Ｔ  Ｇ．９８３標準化規格）、Ｇ−ＰＯＮ方式（ＩＴＵ−Ｔ  Ｇ．９８４標準化規格）、Ｅｔｈｅｒｎｅｔ−ＰＯＮ方式（ＩＥＥＥ８０２．３ａｈ標準化規格）等がある。
【０００５】
図２は、従来のＰＯＮ方式を採用した光ネットワークシステムのトポロジーを示す構成図である。
【０００６】
図２に示すように、光加入者線端局装置（以下、ＯＬＴ；Optical  Line  Terminalともいう）２１から張り出された光ファイバ２４が、光スプリッタ２３と呼ばれる受動装置において収容加入者数分だけ分岐され、光スプリッタ２３から各加入者宅内の光回線終端装置（以下、ＯＮＵ；Optical  Network  Unitともいう）２２−１〜２２−ｎと呼ばれる装置へ光ファイバで接続される構成をとる。
【０００７】
次に、光加入者線端局装置（ＯＬＴ）２１と各加入者の光加入者線終端装置（ＯＮＵ）２２−１〜２２−ｎとの間の信号伝送方法を説明する。
【０００８】
ＯＬＴ２１から各ＯＮＵ２２−１〜２２−ｎへの信号（以下、下り信号ともいう）と、各ＯＮＵ２２−１〜２２−ｎからＯＬＴ２１への信号（以下、上り信号ともいう）の使用する光信号は、異なる波長を用いている。これにより、ＯＬＴ２１及び各ＯＮＵ２２−１〜２２−ｎでは、それぞれ受信すべき必要な波長の光信号のみを抽出できるため、双方向に同時通信可能となっている。
【０００９】
なお、図２では、下り信号の光信号の波長を波長λ１と示し、上り信号の光信号の波長を波長λ２と示す。
【００１０】
ＯＬＴ２１から各ＯＮＵ２２−１〜２２−ｎへの下り信号の伝送方法は、１対多の通信であるため、各ＯＮＵ２２−１〜２２−ｎへの信号は、ＯＬＴ２１側から時分割多重して送信され、光スプリッタ２３を経由して放送形式で、各ＯＮＵ２２−１〜２２−ｎへ配信される。各ＯＮＵ２２−１〜２２−ｎは、所定の暗号化等の手法により、自装置宛の信号のみを抽出し受信することで通信を行う。
【００１１】
一方、各ＯＮＵ２２−１〜２２−ｎからＯＬＴ２１への上り信号の伝送方法は、多対１の通信であるため、この場合も時分割多重による通信を行う。このとき、各ＯＮＵ２２−１〜２２−ｎがそれぞれ非同期で送信すると、光スプリッタ２３において各ＯＮＵ２２−１〜２２−ｎからの信号が合流したときに、各ＯＮＵ２２−１〜２２−ｎの信号同士が衝突を起こす可能性があり、正しく伝送できなくなる。そのため、ＯＬＴ２１は、各ＯＮＵ２２−１〜２−ｎに対して、衝突回避可能な送信タイミングを各ＯＮＵ２２−１〜２２−ｎに指示し、各ＯＮＵ２２−１〜２２−ｎは、このタイミング指示に従って送信するようにする。これにより、光スプリッタ２３における上り信号の衝突を回避して、時分割多重通信を実現することができる。
【００１２】
このため、ＯＬＴ２１は事前に各ＯＮＵ２２−１〜２２−ｎの伝送遅延を調べておき、この結果に基づき、ＯＬＴ２１は、各ＯＮＵ２２−１〜２２−ｎから光スプリッタ２１までの伝送遅延差も考慮した衝突回避可能な各ＯＮＵ２２−１〜２２−ｎへの送信タイミング制御を行うことが可能となる。
【００１３】
この衝突回避可能とするための伝送路遅延測定方式をレンジング方式という。このレンジングの手法は、公知技術を適用することができ、例えば、ＯＬＴ−ＯＮＵ−ＯＬＴの光往復時間からＯＬＴ−ＯＮＵ間の測距を行う方法を用いる。
【００１４】
ところで、上述した従来のＰＯＮ方式を採用した光アクセスネットワークにおいて、既存方式（Ｅ−ＰＯＮ、ＧＥ−ＰＯＮ、Ｂ−ＰＯＮ、Ｇ−ＰＯＮ等）を維持したまま、当該アクセスラインである光ファイバ２４に新たなサービスを重畳することが期待される。
【００１５】
例えば、図３では、既存の光アクセスネットワークを用いて、映像の放送サービスを新たに重畳する場合を例示する。
【００１６】
この場合、新たに映像配信を行う新たなＯＬＴ（以下、Ｖ−ＯＬＴともいう）２７と、ＯＬＴ側の波長分岐混合フィルタ３１と、各ＯＮＵ側の波長分岐混合フィルタ３２−１及び３２−２と、映像用のＯＮＵ（以下、Ｖ−ＯＮＵともいう）２８−１及び２８−２とを更に設ける。
【００１７】
従来、Ｖ−ＯＬＴ２７は映像のＲＦ信号を第３の波長である波長λ３を用いて送信し、下り信号は、波長分岐混合フィルタ３１により波長λ１と波長λ３とが混合されて、各ＯＮＵ側に送信される。そして、下り信号が、波長分岐混合フィルタ３２−１及び３２−２により分岐されて、各Ｖ−ＯＮＵ２８−１及び２８−２に与えられる
しかしながら、この波長多重方式を用いて新サービスを重畳する方式の場合、片方向のみのサービス提供、すなわち下り信号のみのサービス提供しかできないという問題がある。
【００１８】
これに対して、１つの波長のみで、双方向のサービス提供を可能とした光アクセス方式として、ＣＯＦ（Code  Division  Multiplexing  on  Fiber）がある。
【００１９】
【特許文献１】特開２００５−３３５４４号公報
【発明の開示】
【発明が解決しようとする課題】
【００２０】
しかしながら、双方向サービスを重畳するために、従来のＣＯＦ技術をそのまま用いた場合、ＣＯＦは符号分割多重方式を採用しているため、図４に示すように、各ＣＯＦ−ＯＮＵからの上り信号の先頭を光スプリッタの位置で必ず一致させる必要がある。
【００２１】
そのため、新サービスの提供に係る新たに増設したＣＯＦ−ＯＮＵに対して、ＣＯＦ−ＯＬＴはレンジングシーケンスを行うことが必要となるが、このレンジングシーケンスを行うために、他のＣＯＦ−ＯＮＵへのサービスを一時的に中断しなければならなかった。
【００２２】
そこで、本発明は、１対複数の通信を行うアクセスネットワーク（例えば、ＰＯＮ方式を採用した光アクセスネットワーク）において、新たな双方向サービスの重畳の際に、新たな重畳サービスの加入者側装置が追加されても、サービスを中断することなく、追加収容することができる同期制御システム、方法及びプログラムを提供する。
【課題を解決するための手段】
【００２３】
かかる課題を解決するために、第１の本発明の同期制御システムは、局側装置と、複数の加入者側装置との間で通信を行うアクセスネットワークで、新たに追加した加入者側装置の上り信号の送信タイミングを調整する同期制御システムにおいて、（１）局側装置と各加入者側装置との間の伝送路遅延測定を行う伝送路遅延測定手段と、（２）伝送路遅延測定手段が測定した各加入者側装置の伝送路遅延測定情報を保持する伝送路遅延測定情報保持手段と、（３）新たに加入者側装置を追加した場合、既設されている複数の加入者側装置のいずれかの伝送路遅延測定情報を伝送路遅延測定情報保持手段から取得し、この取得した既設の加入者側装置の伝送路遅延測定情報を用いて、新たに追加した加入者側装置の上り信号の送信タイミングを求める同期制御手段と、（４）同期制御手段が求めた上り信号の送信タイミングを示す制御信号を生成し、新たに追加した加入者側装置に通知する制御信号通知手段とを備えることを特徴とする。
【００２４】
第２の本発明の同期制御方法は、局側装置と、複数の加入者側装置との間で通信を行うアクセスネットワークで、新たに追加した加入者側装置の上り信号の送信タイミングを調整する同期制御方法において、（１）伝送路遅延測定手段が、局側装置と各加入者側装置との間の伝送路遅延測定を行う伝送路遅延測定工程と、（２）伝送路遅延測定情報保持手段が、伝送路遅延測定手段が測定した各加入者側装置の伝送路遅延測定情報を保持する伝送路遅延測定情報保持工程と、（３）同期制御手段が、新たに加入者側装置を追加した場合、既設されている複数の加入者側装置のいずれかの伝送路遅延測定情報を伝送路遅延測定情報保持手段から取得し、この取得した既設の加入者側装置の伝送路遅延測定情報を用いて、新たに追加した加入者側装置の上り信号の送信タイミングを求める同期制御工程と、（４）制御信号通知手段が、同期制御手段が求めた上り信号の送信タイミングを示す制御信号を生成し、新たに追加した加入者側装置に通知する制御信号通知工程とを有することを特徴とする。
【００２５】
第３の本発明の同期制御プログラムは、局側装置と、複数の加入者側装置との間で通信を行うアクセスネットワークで、新たに追加した加入者側装置の上り信号の送信タイミングを調整する同期制御プログラムにおいて、局側装置が、局側装置と各加入者側装置との間の伝送路遅延測定を行う伝送路遅延測定手段と、伝送路遅延測定手段が測定した各加入者側装置の伝送路遅延測定情報を保持する伝送路遅延測定情報保持手段とを備えるものであって、コンピュータを、（１）新たに加入者側装置を追加した場合、既設されている複数の加入者側装置のいずれかの伝送路遅延測定情報を伝送路遅延測定情報保持手段から取得し、この取得した既設の加入者側装置の伝送路遅延測定情報を用いて、新たに追加した加入者側装置の上り信号の送信タイミングを求める同期制御手段、（２）同期制御手段が求めた上り信号の送信タイミングを示す制御信号を生成し、新たに追加した加入者側装置に通知する制御信号通知手段として機能させるものである。
【発明の効果】
【００２６】
本発明によれば、１対複数の通信を行うアクセスネットワークにおいて、新たな双方向サービスの重畳の際に、新たな重畳サービスの加入者側装置が追加されても、サービスを中断することなく、追加収容することができる。
【発明を実施するための最良の形態】
【００２７】
（Ａ）第１の実施形態
以下、本発明の同期制御システム、方法及びプログラムの第１の実施形態を図面を参照して詳細に説明する。
【００２８】
第１の実施形態では、既設のＰＯＮ方式を採用する光アクセスネットワークにおいて、新たに双方向サービスを重畳する際に、サービスを中断することなく、加入者側に新たなサービスを受ける加入者側に新たな重畳サービスの光加入者終端装置を追加する場合の適用を説明する。
【００２９】
なお、通信サービスとしては、インターネットを通じた通常のデータ配信、ＩＰ電話、映像・画像配信などがある。
【００３０】
（Ａ−１）第１の実施形態の構成
（Ａ−１−１）全体構成
図５は、第１の実施形態の光アクセスネットワークの全体構成を示す全体構成図である。
【００３１】
図５に示すように、第１の実施形態の光アクセスネットワーク９は、ＰＯＮ−ＯＬＴ２１、光スプリッタ２３、ＰＯＮ−ＯＮＵ２２−１及び２２−２を有して構成されるものである。
【００３２】
また、図５において、新たな重畳サービスを提供する際、第１の実施形態の光アクセスネットワーク９は、ＣＯＦ−ＯＬＴ１０、ＣＯＦ−ＯＮＵ１１−１及び１１−２、波長分岐混合フィルタ３１、波長分岐混合フィルタ３２−１及び３２−２を更に有して構成される。なお、ＰＯＮ−ＯＬＴ２１及びＣＯＦ−ＯＬＴ１０は、ネットワーク２５と接続し、例えば、サービスを提供するサーバ（図示しない）等と接続している。
【００３３】
ＰＯＮ−ＯＬＴ２１は、ＰＯＮ方式を採用した光アクセスネットワークの局側装置であり、第１の実施形態では既設のものとする。第１の実施形態の既設のＰＯＮ方式の光アクセスネットワークでは、下り信号は波長λ１を用いるものとし、上り信号は波長λ２を用いるものとする。
【００３４】
また、ＰＯＮ−ＯＬＴ２１は、既存の局側装置が有する機能を備えるものであり、例えば、ＯＮＵ登録機能、レンジング機能、動的帯域幅割当機能等を備える。また、ＰＯＮ−ＯＬＴ２１は、新たなサービスを重畳する際に、上記レンジング機能で用いるＯＮＵリスト２１ａに登録されているデータを、新たに設けたＣＯＦ−ＯＬＴ１０に与えるものである。
【００３５】
ここで、ＰＯＮ−ＯＬＴ２１が実行するＯＮＵ登録機能、レンジング機能、帯域幅割当機能について説明する。
【００３６】
ＯＮＵ登録機能とは、ＰＯＮ方式の光アクセスネットワーク９の初期のＰＯＮ−ＯＮＵ２２−１及び２２−２の登録処理を行う機能である。このＯＮＵ登録機能は、既存のＯＮＵ登録機能を適用することができる。例えば、ＯＮＵ登録機能は、周期的に同期信号を伝送する。そして、初期に設けられたＰＯＮ−ＯＮＵ２２−１及び２２−２が同期信号に応答することで、ＰＯＮ−ＯＬＴ２１と同期を合わせる。このとき、ＯＮＵ登録機能は、各ＰＯＮ−ＯＮＵ２２−１及び２２−２の識別情報（例えば、ＯＮＵＩＤ）を取得し、このＰＯＮ−ＯＮＵ２２−１及び２２−２の識別情報をＯＮＵリスト２１ａに登録する。
【００３７】
レンジング機能は、初期登録のＰＯＮ−ＯＮＵ２２−１及び２２−２のそれぞれの光の遅延時間を調整する機能である。このレンジング機能は、種々の既存技術を広く適用することができるが、例えば、ＯＬＴ２１と各ＰＯＮ−ＯＮＵ２２−１及び２２−２との間の光往復時間に基づいて、ＯＬＴ２１と各ＰＯＮ−ＯＮＵ２２−１及び２２−２との間の距離を測定し、その距離測定結果に基づいて補正する方法を適用することができる。また、レンジング機能は、各ＰＯＮ−ＯＮＵ２２−１及び２２−２のレンジングデータ（測距データ）をＯＮＵリスト２１ａに登録する。
【００３８】
帯域幅割当機能は、各ＰＯＮ−ＯＮＵ２２−１及び２２−２に対して通信帯域幅を割り当てる機能である。この動的帯域幅割当機能も、既存の帯域幅割当機能を広く適用することができる。
【００３９】
ＣＯＦ−ＯＬＴ１０は、ＣＯＦを採用して双方向サービスを提供する局側装置であり、第１の実施形態では新たな双方向サービスの提供の際に新設されるものである。ＣＯＦ−ＯＬＴ１０は、上り方向と下り方向で新たな波長λ３を用いて双方向の伝送を実現するものである。
【００４０】
また、ＣＯＦ−ＯＬＴ１０は、既設のＰＯＮ−ＯＬＴ２１が有するＯＮＵリスト２１ａに登録されている登録データ（レンジングデータ）をＰＯＮ―ＯＬＴ２１から受け取り、この既設のＰＯＮ−ＯＮＵ２２−１及び２２−２の登録データ（レンジングデータ）を利用して、サービスに係る信号を伝送するものである。
【００４１】
このように、既設のＰＯＮ−ＯＮＵ２２−１及び２２−２の登録データを利用することにより、新設のＣＯＦ−ＯＮＵ１１−１及び１１−２とＣＯＦ−ＯＬＴ１０との間のレンジング処理を行わずに、伝送処理を行うことできる。その結果、従来のような新設のＯＮＵとの間のレンジング処理によるサービスの中断を回避することができる。
【００４２】
光スプリッタ２３は、複数の加入者端末を収容する受動装置である。光スプリッタ２３は、局側からの光信号を加入者側に分岐したり、又は加入者側からの光信号を合流して局側に与えたりするものである。光スプリッタ２３の収容数は、特に限定されないが、例えば６４分岐が可能なものを適用できる。なお、第１の実施形態では、受動装置として光スプリッタを例示するが、光の分岐及び合流ができる受動素子であれば、光スプリッタに限らず広く適用できる。
【００４３】
ＰＯＮ−ＯＮＵ２２−１及び２２−２は、ＰＯＮ方式を採用した光アクセスネットワークの加入者側装置であり、第１の実施形態では既設のものとする。
【００４４】
ＣＯＦ−ＯＮＵ１１−１及び１１−２は、ＣＯＦを採用して双方向サービスの提供を受ける加入者側装置であり、第１の実施形態では、新たな双方向サービスの提供の際に新設（追加）されるものである。
【００４５】
また、ＰＯＮ―ＯＮＵ２２−１及び２２−２と、ＣＯＦ−ＯＮＵ１１−１及び１１−２の先には、加入者がサービスの提供を受けるための加入者端末と接続している。
【００４６】
波長分岐混合フィルタ３１は、局側に設けられた波長分岐混合フィルタであり、ＰＯＮ−ＯＬＴ２１とＣＯＦ−ＯＬＴ１０からの光信号を混合して加入者側に送信したり、加入者側からの光信号を分岐してＰＯＮ−ＯＬＴ２１及びＣＯＦ−ＯＬＴ１０に向けてそうしたりするものである。
【００４７】
波長分岐混合フィルタ３２−１及び３２−２は、加入者側に設けられた波長分岐混合フィルタであり、光スプリッタ２３からの光信号を分岐して、加入者のＰＯＮ−ＯＮＵ２２及びＣＯＦ−ＯＮＵ１１に与えたり、加入者のＰＯＮ−ＯＮＵ２２及びＣＯＦ−ＯＮＵ１１からの光信号を混合して光スプリッタ２３に与えたりするものである。
【００４８】
（Ａ−１−２）内部構成
次に、第１の実施形態の局側のＯＬＴの内部構成及び加入者側のＯＮＵの内部構成について説明する。
【００４９】
図１は、第１の実施形態の局側のＯＬＴの内部構成及び加入者側のＯＮＵの内部構成を示す内部構成図である。
【００５０】
図１では、局側に設けられるＯＬＴをＯＬＴ５と示し、加入者側に設けられるＯＮＵをＯＮＵ６−１〜６−ｎと示す。なお、ＯＮＵ６−１〜６−ｎはそれぞれ同一の内部構成を備えるものであり、以下では説明便宜上、ＯＮＵ６と示して説明する。
【００５１】
図１では、ＯＬＴ５が、同一プリント基板上に、既設のＰＯＮ方式の光アクセス処理を行うＰＯＮ処理部５２（以下では、ＰＯＮ−ＯＬＴともいう）と、新たなサービスの重畳に伴い重畳サービスの信号に対して符号分割多重処理を行うＣＯＦ処理部５１（以下では、ＣＯＦ−ＯＬＴともいう）とを有する場合の構成を示す。
【００５２】
同様に、ＯＮＵ６も、同一プリント基板上に、既設のＰＯＮ方式の光アクセス処理を行うＰＯＮ処理部６２（以下では、ＰＯＮ−ＯＮＵともいう）、新たなサービスの重畳に伴い重畳サービスの信号に対して符号分割多重処理を行うＣＯＦ処理部６１（以下では、ＣＯＦ−ＯＮＵともいう）とを有する場合の構成を示す。
【００５３】
図１において、ＯＬＴ５のＰＯＮ処理部５２は、ＰＯＮ  ＴＣレイヤ処理部５２１、ＰＨＹレイヤ処理部５２２、光トランシーバ５３を有する。
【００５４】
光トランシーバ５３は、光／電気相互変換を行なうものであって、波長分割多重フィルタ（ＷＤＭ）３１と、光／電気変換器（Ｏ／Ｅともいう）５２３と、電気／光変換器（Ｅ／Ｏともいう）５２４とを有する。
【００５５】
波長分割多重フィルタ（ＷＤＭ）３１は、入力した光信号を分岐又は混合するものであり、図５の波長分岐混合フィルタ３１に相当するものである。波長分割多重フィルタ（ＷＤ）３１は、光スプリッタ２３から受信した光信号のうち波長λ１の成分と波長λ３の成分とに分岐し、波長λ１の光信号を光／電気変換器５２３に与え、波長λ３の光信号をＣＯＦ処理部５１に与える。
【００５６】
図１では、光トランシーバ５３が波長分割多重フィルタ（ＷＤＭ）３１を備える構成を示したが、波長分割多重フィルタ（ＷＤＭ）３１は、光／電気相互変換を行う光トランシーバと一体構成でないものとしてもよい。
【００５７】
光／電気変換器５２３は、波長分割多重フィルタ（ＷＤＭ）３１からの光信号を電気信号に変換してＰＯＮ  ＴＣレイヤ処理部５２１に与えるものである。また、電気／光変換器５２４は、ＰＯＮ  ＴＣレイヤ処理部５２１からの電気信号を光信号に変換しては波長分割多重フィルタ（ＷＤＭ）３１に与えるものである。
【００５８】
ＰＯＮ  ＴＣレイヤ処理部５２１は、ＰＯＮ方式の光アクセス処理のうち、ＴＣレイヤ（トランスミッションコンバージェンスサブレイヤ）の処理を行うものである。例えば、ＰＯＮ  ＴＣレイヤ処理部５２１は、光／電気変換器５２３から受け取った受信信号（電気信号）に基づいて複数のＯＮＵ６のＯＮＵリスト２１ａを作成する機能や、このＯＮＵリスト２１ａに基づいて時分割多重処理を制御する機能、ＯＮＵリスト２１ａの登録データをＰＨＹレイヤ５２２を介してＣＯＦ処理５１に与える機能等を有する。
【００５９】
ＰＨＹレイヤ５２２は、ＰＯＮ方式の光アクセス処理のうち物理層の処理を行うものである。
【００６０】
ＣＯＦ処理部５１は、符号分割多重方式により、重畳サービスに係る信号を多重化し、波長λ３を用いて光伝送処理を行うものである。ＣＯＦ処理部５１は、監視制御部５１１、波長分割多重フィルタ（ＷＤＭ）５１２、光／電気変換器５１３、電気／光変換器５１４、符号化・復号処理部５１５−１〜５１５−ｎを有する。
【００６１】
監視制御部５１１は、ＯＬＴ５とＯＮＵ６との間のＣＯＦの同期制御を行うものである。監視制御部５１１は、ＰＯＮ処理部５２からＯＮＵリスト２１ａに登録されている登録データを受け取り、この登録データを用いて、サービス重畳の際に新たに追加された追加ＣＯＦ−ＯＮＵ６１との間の同期制御を行うものである。
【００６２】
つまり、監視制御部５１１は、ＯＮＵリスト２１ａに登録されている、あるＯＮＵ６のレンジングデータ（測距データ）を基準にして光信号の遅延時間を求め、この遅延時間を後述する制御信号生成部７３に与えることで、ＣＯＦのＯＬＴ５１と追加ＯＮＵ６１との間の同期を図るものとする。これにより、追加ＣＯＦ−ＯＮＵ６１との間のレンジング処理を省略することができるので、サービスの中断を回避することができる。
【００６３】
このように、あるＯＮＵ５のレンジングデータを利用することで、追加ＣＯＦ−ＯＮＵ６１のレンジング処理を省略することができる理由について、以下のように示す。
【００６４】
図４に示すように、一般に、ＯＬＴ５と光スプリッタ２３との間の光ファイバ２４は、各ＯＮＵ６間で共有しているから、この間の光ファイバ２４の遅延時間は共通する。
【００６５】
従って、ＯＬＴ５と各ＯＮＵ６との間の測距データは、光スプリッタ２３と各ＯＮＵ６との間の距離及び遅延時間が異なる。また、ＰＯＮは既設されているから、ＰＯＮ−ＯＬＴ５２は、既設のＰＯＮ−ＯＮＵ６２のレンジングデータをＯＮＵリスト２１ａに保持している。
【００６６】
そこで、ＰＯＮ−ＯＬＴ５２のＯＮＵリスト２１ａに登録されている、ある既設のＰＯＮ−ＯＮＵ６２の登録データを基準にして、ＯＬＴ５と既設のＰＯＮ−ＯＮＵ６２との間の光信号の往復時間と、ＯＬＴ５と追加ＣＯＦ−ＯＮＵ６１との間の光信号の往復時間との差分（遅延時間）を加算又は減算することで、別途新たに追加ＣＯＦ−ＯＮＵ６１の送信タイミングを求めることができる。
【００６７】
ここで、監視制御部５１１は、ＯＮＵリスト２１ａから登録データを取得する際、追加ＣＯＦ−ＯＮＵ６１の識別情報（例えば、ＭＡＣアドレス等）を参照し、この識別情報に関連する識別情報を有する既設ＰＯＮ−ＯＮＵ６２の登録データをＯＮＵリスト２１から取得するようにしてもよい。
【００６８】
また、監視制御部５１１による、追加ＣＯＦ−ＯＮＵ６１のレンジングデータを求める方法としては、例えば、基準とする既設のＰＯＮ−ＯＮＵ６２のレンジングデータに対して、所定値を加算又は減算して求める方法を適用できる。
【００６９】
この所定値としては、例えば、追加ＣＯＦ−ＯＮＵ６１の追加登録処理の結果に基づいて、ＯＬＴ５と既設のＰＯＮ−ＯＮＵ６２との間の光信号の往復時間と、ＯＬＴ５と追加ＣＯＦ−ＯＮＵ６１との間の光信号の往復時間との差分を用いることができる。勿論、この往復時間の差分（遅延時間）を用いて所定の演算式により求めた演算値を利用するようにしてもよい。
【００７０】
また、基準とする既設のＯＮＵ６のレンジングデータ（登録データ）は、少なくとも１個あればよいが、２個以上の登録データを用いるようにしてもよい。
【００７１】
さらに、追加ＣＯＦ−ＯＮＵ６１のレンジングデータを求める際、既設のＯＮＵ６と追加ＣＯＦ−ＯＮＵ６１との間の光信号の遅延時間を用いて算出することが実際の遅延に合わせる点で望ましい。しかし、この他に、例えば、光スプリッタ２３から既設のＯＮＵ６までの光ファイバの長さと、光スプリッタ２３から追加ＣＯＦ−ＯＮＵ６１までの光ファイバの長さの差分をパラメータとして求めるようにしてもよい。
【００７２】
波長分割多重フィルタ（ＷＤＭ）５１２は、波長分割多重フィルタ（ＷＤＭ）３１からの光信号を受け取ると、この光信号を光／電気変換器５１３に与え、電気／光変換器５１４から光信号を受け取ると、この光信号を波長分割多重フィルタ（ＷＤＭ）３１に与えるものである。なお、図１では、波長分割多重フィルタ（ＷＤＭ）５１２を用いることとしたが、光カプラなどの光入出力装置を広く適用することができる。
【００７３】
光／電気変換器（Ｏ／Ｅ）５１３は、波長分割多重フィルタ（ＷＤＭ）５１２からの光信号を電気信号に変換し、分配部５１６を介して、符号化・復号処理部５１５−１〜５１５−ｎに与えるものである。
【００７４】
電気／光変換器（Ｅ／Ｏ）５１４は、加算部５１７を介して、符号化・復号処理部５１５−１〜５１５−ｎからの電気信号を光信号に変換して波長分割多重フィルタ（ＷＤＭ）５１２に与えるものである。
【００７５】
符号化・復号処理部５１５−１〜５１５−ｎは、それぞれの拡散符号により拡散変調するものであり、重畳サービスに係る信号を符号化する符号化部７１、受信信号を復号する復号部７２、制御信号生成部７３、制御信号検出部７４を有する。なお、符号化部７１及び復号部７２の処理は、既存技術を広く適用することができるので、ここでの詳細な説明は省略する。
【００７６】
制御信号生成部７３は、監視制御部５１１の制御の下、同期信号である制御信号を生成し、符号化部７１に与えるものである。
【００７７】
制御信号検出部７４は、復号部７２により復号された復号信号に含まれている制御信号を検出し、監視制御部５１１に与えるものである。
【００７８】
次に、ＯＮＵ６の内部構成を説明する。上述したように、図１に示す各ＯＮＵ６は、ＣＯＦ処理部６１、ＰＯＮ処理部６２を有して構成される。
【００７９】
ＰＯＮ処理部６２は、ＰＯＮ  ＴＣレイヤ処理部６２１、ＰＨＹレイヤ処理部６２２、光トランシーバ６３を有する。
【００８０】
光トランシーバ６３は、光／電気相互変換を行なうものであって、波長分割多重フィルタ（ＷＤＭ）３２と、光／電気変換器（Ｏ／Ｅともいう）６２３と、電気／光変換器（Ｅ／Ｏともいう）６２４とを有する。
【００８１】
波長分割多重フィルタ（ＷＤＭ）３２は、入力した光信号を分岐又は混合するものであり、図５の波長分岐混合フィルタ３２に相当するものである。波長分割多重フィルタ（ＷＤ）３２は、光スプリッタ２３から受信した光信号のうち波長λ１の成分と波長λ３の成分とに分岐し、波長λ１の光信号を光／電気変換器６２３に与え、波長λ３の光信号をＣＯＦ処理部６１に与える。
【００８２】
図１では、光トランシーバ６３が波長分割多重フィルタ（ＷＤＭ）３２を備える構成を示したが、波長分割多重フィルタ（ＷＤＭ）３２は、光／電気相互変換を行う光トランシーバと一体構成でないものとしてもよい。
【００８３】
光／電気変換器６２３は、波長分割多重フィルタ（ＷＤＭ）３２からの光信号を電気信号に変換してＰＯＮ  ＴＣレイヤ処理部６２１に与えるものである。また、電気／光変換器６２４は、ＰＯＮ  ＴＣレイヤ処理部６２１からの電気信号を光信号に変換しては波長分割多重フィルタ（ＷＤＭ）３２に与えるものである。
【００８４】
ＰＯＮ  ＴＣレイヤ処理部６２１は、ＰＯＮ方式の光アクセス処理のうち、ＴＣレイヤ（トランスミッションコンバージェンスサブレイヤ）の処理を行うものである。また、ＰＨＹレイヤ６２２は、ＰＯＮ方式の光アクセス処理のうち物理層の処理を行うものである。
【００８５】
ＣＯＦ処理部６１は、重畳サービスに係る信号に対して、符号化処理又は復号処理を行うものである。ＯＮＵ６のＣＯＦ処理部６１は、既存のＣＯＦ処理部と同様の処理を行うものである。
【００８６】
ＣＯＦ処理部６１は、監視制御部６１１、波長分割多重フィルタ（ＷＤＭ）６１２、光／電気変換器（Ｏ／Ｅともいう）６１３、電気／光変換器（Ｅ／Ｏともいう）６１４、符号化部６１６、復号部６１５、制御信号検出部６１７、制御信号生成部６１８を有する。
【００８７】
波長分割多重フィルタ（ＷＤＭ）６１２は、波長分割多重フィルタ（ＷＤＭ）３２からの光信号を光／電気変換器６１４に与え、電気／光変換器６１３からの光信号を波長分割多重フィルタ（ＷＤＭ）３２に与えるものである。なお、波長分割多重フィルタ（ＷＤＭ）６１４の代わりに、光カプラなどの光入出力装置を広く適用することができる。
【００８８】
光／電気変換器６１４は、波長分割多重フィルタ（ＷＤＭ）６１２からの光信号を電気信号に変換して復号部６１５に与えるものである。電気／光変換器６１３は、符号化部６１６からの電気信号を光信号に変換して波長分割多重フィルタ（ＷＤＭ）６１２に与えるものである。
【００８９】
復号部６１５は、光／電気変換器６１４からの受信信号（電気信号）を復号するものである。
【００９０】
制御信号検出部６１７は、復号部６１５により復号された復号信号から同期信号である制御信号を検出し、その制御信号の検出結果を監視制御部６１１に与えるものである。
【００９１】
監視制御部６１１は、制御信号検出部６１７により検出された同期タイミングに基づいて、ＣＯＦの同期制御を行うものである。
【００９２】
制御信号生成部６１８は、信号送出の際、監視制御部６１１の制御の下、制御信号を生成し、符号化部６１６に与えるものである。
【００９３】
符号化部６１６は、ユーザからの送信信号及び制御信号生成部６１８からの制御信号を符号化して電気／光変換部６１３に与えるものである。
【００９４】
（Ａ−２）第１の実施形態の動作
次に、第１の実施形態の光アクセスネットワーク９における処理の動作を説明する。
【００９５】
以下では、図５に示す光アクセスネットワーク９において、新たなサービスを重畳する際に、加入者側に増設するＣＯＦ−ＯＮＵ１１−１及び１１−２に対するレンジング処理を行わずに、ＣＯＦの同期制御を行う処理を説明する。
【００９６】
まず、図５において、ＰＯＮ−ＯＬＴ２１とＰＯＮ−ＯＮＵ２２−１及び２２−２との間で、ＰＯＮ方式を採用した光アクセスネットワーク９が既に設けられているものとする。
【００９７】
このとき、ＰＯＮ−ＯＬＴ２１は、初期のＰＯＮ−ＯＮＵ２２−１及び２２−２に対して、ＯＮＵ登録処理、レンジング処理、帯域幅割当処理等を行う。これらのＯＮＵ登録処理、レンジング処理、帯域幅割当処理等は、基本的には既存のＰＯＮで用いられる方法を適用できる。これにより、ＰＯＮ−ＯＬＴ２１は、各ＰＯＮ−ＯＮＵ２２−１及び２２−２のレンジングデータをＯＮＵリスト２１ａに登録し、これを管理することができる。
【００９８】
なお、ＰＯＮ−ＯＬＴ２１と各ＰＯＮ−ＯＮＵ２２−１及び２２−２との間の信号伝送方法は、従来と同様である。以下では、ＰＯＮ方式の信号伝送方法について簡単に説明する。
【００９９】
ＰＯＮ−ＯＮＵ２１から各ＰＯＮ−ＯＮＵ２２−１及び２２−２への下り信号は、時分割多重により各サービスの信号が多重化された信号が波長λ１を用いて送信される。下り信号が光スプリッタ２３に与えられると、光スプリッタ２３により分岐されて、下り信号はＰＯＮ−ＯＮＵ２２−１及び２２−２のそれぞれに与えられる。各ＰＯＮ−ＯＮＵ２２−１及び２２−２のそれぞれにおいては、それぞれが具備する波長分割多重フィルタ（ＷＤＭ）及び所定の暗号化方式などにより、受信すべき必要な波長の光信号及びそれぞれのＯＮＵに必要な信号のみが抽出される。これにより、加入者は所望のサービスを受けることができる。
【０１００】
一方、各ＰＯＮ−ＯＮＵ２２−１及び２２−２からＰＯＮ−ＯＬＴ２１への上り信号は、波長λ２が用いられる。各ＰＯＮ−ＯＮＵ２２−１及び２２−２はそれぞれ、ＰＯＮ−ＯＬＴ２１によるレンジング処理が行われている。従って、各ＰＯＮ−ＯＮＵ２２−１及び２２−２のそれぞれは信号送出タイミングの調整がなされており、各ＰＯＮ−ＯＮＵ２２−１及び２２−２から送出された上り信号は、光スプリッタ２３において合流され、時分割多重としてＰＯＮ−ＯＬＴ２１に送信される。
【０１０１】
その後、既存のＰＯＮ方式の光アクセスネットワークを維持したまま、光ファイバ２４に新たなサービスを重畳する場合、局側にＣＯＦ−ＯＬＴ１０及び加入者側にＣＯＦ−ＯＮＵ１１−１及び１１−２を増設する。
【０１０２】
ＣＯＦ−ＯＬＴ５１及びＣＯＦ−ＯＮＵ１１−１及び１１−２が増設された場合のＣＯＦ−ＯＬＴ１０の処理を図１を参照しながら説明する。
【０１０３】
図１において、増設された図５に示すＣＯＦ−ＯＬＴ１０はＣＯＦ処理部５１に相当する。ＣＯＦ処理部５１は、追加されたＣＯＦ−ＯＮＵ６１に対して、追加ＯＮＵ登録処理を行う。この追加ＯＮＵ登録処理は、既存のＯＮＵ登録処理を適用することができる。
【０１０４】
次に、ＣＯＦ処理部５１の監視制御部５１１は、ＰＯＮ−ＯＬＴ２１に相当するＰＯＮ処理部５２から、ＯＮＵリスト２１ａに登録されている、既設ＰＯＮ−ＯＮＵ６２の登録データを受け取る。
【０１０５】
ＯＮＵリスト２１ａに登録されている既設ＰＯＮ−ＯＮＵ６２の登録データを受け取ると、監視制御部５１１は、この既設ＰＯＮ−ＯＮＵ６２の登録データを基準として、既設ＰＯＮ−ＯＮＵ６２と追加ＣＯＦ−ＯＮＵ６２との間の光信号の遅延時間を加算又は減算して、追加ＣＯＦ−ＯＮＵ６２のレンジングデータを求める。
【０１０６】
監視制御部５１１において追加ＣＯＦ−ＯＮＵ６２のレンジングデータが求まると、監視制御部５１１は、この追加ＣＯＦ−ＯＮＵ６２のレンジングデータに基づいて同期信号を生成するよう制御信号生成部７３に対して指示する。
【０１０７】
制御信号生成部７３では、監視制御部５１１からの指示を受けて同期信号を示す制御信号が生成され、その生成した制御信号が符号化部７１に与えられる。符号化部７１では、サービスに係る信号及び制御信号生成部７３からの制御信号が与えられ、サービスに係る信号及び制御信号は所定の符号化方式により符号化される。
【０１０８】
符号化部７１により符号化された符号化信号は加算部５１７に与えられ、加算部５１７により符号分割多重される。そして、符号分割多重信号は、電気／光変換器５１４により波長λ３の光信号に変換されて、波長分割多重フィルタ（ＷＤＭ）５１２を介して、波長分割多重フィルタ（ＷＤＭ）３１に与えられて加入者側に送信される。
【０１０９】
なお、このとき、ＰＯＮ処理部５２１から波長λ２の下り信号がある場合、波長分割多重フィルタ（ＷＤＭ）３１において、波長λ２の光信号と波長λ３の光信号とが混合されて加入者側に送信される。
【０１１０】
ＯＬＴ５からの光信号は、光スプリッタ２３を介して、各ＯＮＵ６−１〜６−ｎに送信される。このとき、新たに追加したＯＮＵ６にも送信される。
【０１１１】
ＯＬＴ５からの光信号がＯＮＵ６に与えられると、ＯＮＵ６の波長分割多重フィルタ（ＷＤＭ）６３により、波長λ１の光信号と波長λ３の光信号とが分岐され、波長λ３の光信号がＣＯＦ処理部６１に与えられる。
【０１１２】
ＣＯＦ処理部６１において、波長分割多重フィルタ（ＷＤＭ）３２からの光信号は、波長分割多重フィルタ（ＷＤＭ）６１２を介して光／電気変換器６１４に与えられ、電気信号に変換されて、復号部６１５に与えられる。
【０１１３】
受信された受信信号が復号部６１５により復号されると、サービスに係る信号は図示しない加入者端末に与えられる。また、同期信号を示す制御信号は、制御信号検出部６１７により検出される。制御信号検出部６１７により制御信号が検出されると、その旨が監視制御部６１１に通知される。監視制御部６１１は、この制御信号に基づく同期タイミングを保持する。
【０１１４】
その後、新たなサービスについて加入者が上り方向の信号を送信しようとする場合、すなわち、図示しない加入者端末から上り信号がＯＮＵ６のＣＯＦ処理部６１に与えられた場合、送信信号が符号化部６１６に与えられる。また、制御信号生成部６１８が生成した同期信号を示す制御信号が符号化部６１６に与えられ、送信信号及び制御信号が符号化部６１６により符号化される。
【０１１５】
符号化部６１６により符号化された符号化信号は、電気／光変換器６１３により波長λ３の光信号に変換され、波長λ３の光信号が、波長分割多重フィルタ（ＷＤＭ）６１２を介して、波長分割多重フィルタ（ＷＤＭ）３２に与えられて局側に送信される。
【０１１６】
なお、このとき、ＰＯＮ処理部６２から波長λ１の上り信号がある場合、波長分割多重フィルタ（ＷＤＭ）３２において、波長λ１の光信号と波長λ３の光信号とが混合されて局側に送信される。
【０１１７】
ＯＮＵ６から送信された光信号は光スプリッタ２３に与えられ、光スプリッタ２３において、各ＯＮＵ６−１〜６−ｎからの光信号が合流して局側に送信される。
【０１１８】
このとき、各ＯＮＵ６−１〜６−ｎではそれぞれ信号送出タイミングを調整している。従って、各ＯＮＵ６−１〜６−ｎから送信された光信号は、光スプリッタ２３における衝突を回避することができる。
【０１１９】
つまり、新たなサービスの重畳に伴い、ＣＯＦ−ＯＮＵを増設した場合でも、ＣＯＦ−ＯＬＴが、既設のＰＯＮ−ＯＮＵのレンジングデータに基づいて、追加ＣＯＦ−ＯＮＵの同期調整を行うため、追加ＣＯＦ−ＯＮＵのレンジング処理を行わずに（すなわち既設ＣＯＦ−ＯＮＵのサービスを中断せずに）、同期制御が可能となる。
【０１２０】
その結果、下り信号は、波長分割多重フィルタ（ＷＤＭ）３１に与えられ、波長λ２の光信号と波長λ３の光信号とに分岐され、波長λ２の光信号は、ＰＯＮ処理部５２により既存サービスに対するＰＯＮ処理が行われる。
【０１２１】
一方、波長λ３の光信号は、波長分割多重フィルタ（ＷＤＭ）５１２を介して、光／電気変換器５１３に与えられ、受信された受信信号が、分配部５１３により各復号部７２に分配される。
【０１２２】
復号部７２では、受信信号が復号されて、復号信号が図示しない受信部に与えられる。また、制御信号検出部７４により制御信号が検出される。監視制御部５１１は、制御信号検出部７４の検出結果を監視し、位相ずれが生じている場合には従来と同様に補正を行う。
【０１２３】
（Ａ−３）第１の実施形態の効果
以上のように、第１の実施形態によれば、既設ＰＯＮサービスにＣＯＦを用いて新たなサービスを重畳する場合において、ＣＯＦ−ＯＮＵを順次増設するときに、既設のＰＯＮ−ＯＮＵの登録データを利用して、追加ＣＯＦ−ＯＮＵの同期調整を行うことにより、追加ＣＯＦ−ＯＮＵのレンジングシーケンスを省略することができる。その結果、現用のサービスを中断させることなく、新たなＣＯＦ−ＯＮＵを増設することが可能となる。
【０１２４】
（Ｂ）他の実施形態
第１の実施形態では、図１に示すように、局側のＯＬＴとして、１枚のプリント基板上に、ＣＯＦ処理部とＰＯＮ処理部とが構成される場合を例示して説明したが、第１の実施形態で説明した機能を実現することができれば、これらＣＯＦ処理部とＰＯＮ処理部とが物理的に別の装置に設けられるものとしてもよい。
【０１２５】
また、図１では、監視制御部がＣＯＦ処理部の備える構成要素とする場合を例示して説明したが、監視制御部は、ＣＯＦ処理部の構成要素でなく、独立した構成をとるようにしてもよい。また、監視制御部は、それぞれ異なる複数のサービスを重畳する際に、複数のサービスのそれぞれのＣＯＦ処理部に対して統括的に同期制御できるようにしてもよい。
【０１２６】
第１の実施形態では、ＣＯＦによりサービスを重畳する際の適用を説明したが、ＰＯＮ方式を採用した光アクセスネットワークにおいても適用できる。また、第１の実施形態では、光アクセスネットワークに適用した場合を例示したが、光通信でなく、電気信号によるアクセスネットワークにおいても広く適用することができる。
【０１２７】
第１の実施形態で説明した各構成要素の機能はソフトウェアとして実現されるものである。すなわち、例えば、ＣＰＵが、ＲＯＭに格納されている処理プログラムを読み出し、その処理プログラムを実現することにより、各種機能は実現される。勿論、ハードウェアで実現可能であれば、ハードウェアで構成するようにしてもよい。
【図面の簡単な説明】
【０１２８】
【図１】第１の実施形態のＯＬＴの内部構成とＯＮＵの内部構成を示す内部構成図である。
【図２】従来のＰＯＮ方式の光アクセスネットワークの構成を示す全体構成図である。
【図３】従来のＰＯＮにおいて映像の放送サービスを新たに重畳する場合を例示する全体構成図である。
【図４】従来のＰＯＮにおいてＣＯＦを用いた光伝送を説明する説明図である。
【図５】第１の実施形態のＰＯＮ方式の光アクセスネットワークにおいて、ＣＯＦを用いて新たに重畳サービスを追加するときの全体構成図である。
【符号の説明】
【０１２９】
１０…ＣＯＦ−ＯＬＴ、１１−１及び１１−２…ＣＯＦ−ＯＮＵ、２１…ＰＯＮ−ＯＬＴ、２１ａ…ＯＮＵリスト、２２−１及び２２−２…ＰＯＮ−ＯＮＵ、２３…光スプリッタ、２４…光ファイバ、３１、３２−１及び３２−２…波長分岐混合フィルタ、５…ＯＬＴ、５１…ＣＯＦ処理部、５１１…監視制御部、５１２…波長分割多重フィルタ（ＷＤＭ）、５１３…光／電気変換器（Ｏ／Ｅ）、５１４…電気／光変換器（Ｅ／Ｏ）、５１５−１〜５１５−ｎ…符号化・復号処理部、５１６…分配部、５１７…加算部、７１…符号化部、７２…復号部、７３…制御信号生成部、７４…制御信号検出部、５２…ＰＯＮ処理部。
【図１】
2009055307.tif 000003
【図２】
2009055307.tif 000004
【図３】
2009055307.tif 000005
【図４】
2009055307.tif 000006
【図５】
2009055307.tif 000007